(57)【要約】      （修正有）【課題】湿し水を使用する水ありオフセット印刷において、湿し水タンク、水舟、および中間タンクを含む水舟間の経路に付着・蓄積しているローラストリッピングの原因となるカルシウムを除去し、ローラストリッピングの防止を目的とする。【解決手段】特定のトリ酢酸化合物キレート剤を２００〜１０００ｐｐｍ含有し、酢酸、クエン酸、リンゴ酸、酒石酸、シュウ酸などのキレート作用を持つ有機酸２５０００〜１２５０００ｐｐｍと、有機酸のアルカリ金属塩、アンモニウム塩２００００〜１０００００ｐｐｍにてｐＨ４〜５にｐＨ緩衝領域を持つように調整され、防錆剤としてベンゾトリアゾールを４〜２０ｐｐｍ含んだ洗浄液。【選択図】なし【特許請求の範囲】
【請求項１】
下記式（１）であらわされるキレート剤２０〜１００ｐｐｍと、キレート作用を持つ有機酸２５００〜１００００ｐｐｍと、有機酸のアルカリ金属塩および／またはアンモニウム塩２０００〜８０００ｐｐｍと、防錆剤としてベンゾトリアゾール４〜２０ｐｐｍとを含有し、かつｐＨ４〜５であることを特徴とする湿し水タンク洗浄組成物。
式（１）
【化１】
2007091979.tif 000007
【請求項２】
請求項１記載の湿し水タンク洗浄組成物が２５〜１００倍に濃縮されたものを、使用時に請求項１と同じ濃度範囲になるように２５〜１００倍に希釈して使用することが可能な湿し水タンク洗浄剤。
【請求項３】
請求項２記載の濃縮液を、０．５〜１．０％の濃度で湿し水タンクに添加することにより、湿し水にｐＨ４〜５の領域に強い緩衝能を付与し、ローラストリッピングの原因となるカルシウム化合物の沈殿・付着を防止する湿し水補助液。
【発明の詳細な説明】
【技術分野】
【０００１】
本発明は、湿し水を使用する水ありオフセット印刷において、湿し水タンク、水舟、および中間タンクを含む水舟間の経路に付着・蓄積しているローラストリッピングの原因となるカルシウムを除去し、ローラストリッピングの防止を目的とした湿し水循環経路の洗浄液に関するものである。
【背景技術】
【０００２】
平版印刷は、画線部に対応する部分を感脂性面とし、非画線部に対応する部分を親水性面とした刷版を用いて印刷を行う印刷方式である。即ちインキを感脂性面に付着させ、湿し水を親水性面に付着させ、インキと湿し水との相互反発作用を利用して印刷する。
【０００３】
オフセット印刷では、しばしば湿し水とインキの供給バランスが崩れ、インキローラに過剰に湿し水が供給されるとインキが転移しなくなる（以下ローラストリッピング）ため、印刷物の濃度変動などのトラブルを引き起こすことがある。
【０００４】
このローラストリッピングの原因の一つに、カルシウム化合物がインキローラに堆積して本来親油性であるインキローラを親水性化し、このローラ部分に油性のインキの転移を妨げていることが挙げられる。湿し水中には、湿し水を希釈する原水から由来するカルシウムや、印刷が行われる工程で紙やインキに含まれるカルシウム化合物から、湿し水に溶解してくるカルシウムなどが存在していると考えられる。これらのカルシウム成分は、イオンや可溶カルシウム化合物として、湿し水を介してインキローラ上にも運ばれ、インキローラ上で、乳化水のｐＨの影響を受け、カルシウム化合物としてインキローラ上に堆積してしまうと考えられる。
【０００５】
この場合、カルシウム化合物が酸性領域で容易にイオン化して可溶化する性質を利用し、インキローラ上に酸性の洗浄剤を用いて、堆積しているカルシウム化合物を洗浄・除去することにより、ローラストリッピングを解消することができる。
【０００６】
しかしながら、インキローラの洗浄を行っても、すぐにローラストリッピングが慢性的に発生する場合がある。これは、原水、紙やインキから新たに増加するカルシウム成分の他に、湿し水タンク、水舟、およびタンクと水舟間など、湿し水が循環する経路に存在・付着・蓄積しているカルシウム化合物の影響が考えられる。
【０００７】
また、湿し水のｐＨ緩衝能が弱いと、湿し水原液を希釈している原水に含まれるカルシウムイオンや、紙やインキに含まれるカルシウム化合物から、湿し水に溶解したカルシウムイオンが、湿し水を介してインキローラ上に上がり、インキローラ上での乳化水のｐＨが容易に酸性からアルカリ性にシフトするため、カルシウム化合物としてローラ上で堆積することにより、ローラストリッピングの原因となっていると考えられる。
したがってローラストリッピングを防止するためには、湿し水のｐＨを４〜５の酸性領域で安定的に維持できる強いｐＨ緩衝能を付与することが望まれる。
【特許文献１】特開２００５−３５２４０号公報
【特許文献２】特開２００４−２４３１６０号公報
【発明の開示】
【発明が解決しようとする課題】
【０００８】
本発明は、湿し水タンク、水舟、およびタンクと水舟間など、湿し水が循環する経路に存在・付着・蓄積しているカルシウム化合物を除去させ、ローラストリッピングの慢性的な発生を抑制することを課題とする。
【課題を解決するための手段】
【０００９】
発明者らは、上記問題を解決すべく鋭意努力した結果、湿し水タンク内、水舟、タンクと水舟の経路にカルシウム化合物を溶解させるキレート剤、ｐＨを４〜５の弱酸性領域に維持するｐＨ緩衝能に優れたバッファー、錆を防止する防錆剤からなるタンク洗浄剤を、湿し水交換時に、湿し水タンクや水舟、タンクと水舟間の経路を巡回させることにより、湿し水タンク内、水舟、タンクと水舟間の経路に堆積・沈殿しているカルシウム化合物を除去することを可能たらしめた。また、洗浄剤は、いずれも湿し水の原料として使用されているもので構成しているため、洗浄後は十分にすすがなくとも、実印刷をおこなうことが可能である。
【００１０】
更に、本液はｐＨ４〜５に強いｐＨ緩衝能を持つため、本液を湿し水のｐＨ緩衝能付与液として、０.５〜１.０％の濃度で湿し水に添加することで、湿し水のｐＨを４〜５の領域に保ち、安定した印刷に寄与することができる。
【００１１】
すなわち、本願発明は、式（１）のキレート剤を２０〜１００ｐｐｍ含有し、クエン酸、リンゴ酸、酒石酸、シュウ酸などのキレート作用を持つ有機酸２５００〜１００００ｐｐｍと、有機酸のアルカリ金属塩、アンモニウム塩２０００〜８０００ｐｐｍにてｐＨ４〜５にｐＨ緩衝領域を持つように調整され、防錆剤としてベンゾトリアゾールを４〜２０ｐｐｍ含んだ洗浄液に関する。
さらに、本願発明は、上記組成の洗浄組成物が２５〜１００倍に濃縮されたものを、使用時に２５〜１００倍に希釈して使用することも可能である。
【発明の効果】
【００１２】
定期的に本洗浄液を使用することにより、ローラストリッピングを防止し、安定的に印刷を行うことができる。
また、湿し水に使用し、ｐＨ４〜５に強い緩衝能を付与する補助剤として、ローラストリッピングを防止することもできる。
【発明を実施するための最良の形態】
【００１３】
本発明に用いたキレート剤
式（１）
【化２】
2007091979.tif 000002
は、カルシウムを可溶化させる効果を有しており、湿し水タンク内、水舟、タンクと水舟間の経路に堆積・沈殿しているカルシウム化合物を可溶化させ、除去することが可能である。本キレート剤を多く配合することは、短時間で溶解するカルシウム量を増やすことが可能であるが、本キレート剤を含むタンク水が湿し水に多く残留すると、実印刷において、炭酸カルシウムが使用されている紙などから、不要に、カルシウムを溶出する恐れがある。したがって、本発明でのキレート剤の使用濃度は、全組成物量を基準として２０〜１００ｐｐｍが望ましい。
【００１４】
キレート作用を持つ有機酸の具体例としては、クエン酸、リンゴ酸、酒石酸、シュウ酸等が挙げられる。これらは、キレート剤としての役割の他に、洗浄液を酸性領域に維持するための酸の働き、および、これらの有機酸のアルカリ金属塩および／またはアンモニウム塩と共に共存することで、ｐＨを４〜５に維持する緩衝液の働きを行う。キレート作用を持つ有機酸の添加量としては、全組成物量を基準として、２５００〜１００００ｐｐｍであり、２５００ｐｐｍを下回ると、キレート剤としての効果が十分に発揮できないことが懸念され、また、１００００ｐｐｍを上回ると、カルシウム化合物の溶解性は良好となるものの、洗浄液のｐＨ４を下回る懸念があり、実印刷においては枚葉インキの金属ドライヤーの触媒効果を失活させる懸念があり、印刷での乾燥不良などの要因を引き起こしかねない。
【００１５】
有機酸のアルカリ金属塩および／またはアンモニウム塩は、使用する有機酸の種類にもよるが、前述の通り有機酸との組み合わせで、ｐＨを４〜５の範囲に緩衝能を付与することが重要である。添加量が有機酸に比べ極端に少ない場合、ｐＨが酸性に偏る傾向にあり、また逆に多い場合はアルカリ性に偏る傾向にあり、どちらの場合も十分なｐＨ緩衝能を持たない場合がある。添加量としては、全組成物量を基準として、２０００〜８０００ｐｐｍの濃度でｐＨを維持することが望ましい。
防錆剤として用いるベンゾトリアゾールは、添加量としては、全組成物量を基準として、４〜２０ｐｐｍとし、防錆効果とコストの面からの配慮をしている。
【００１６】
［実施例１］洗浄剤としての検証
・洗浄剤濃縮液（重量％）                  
キレート剤        0.25％
クエン酸          25％
酢酸アンモニウム  20％
ケミテックＴＴ    0.04％
洗浄液として、上記試薬を水に溶解させ、洗浄液濃縮液を作製。これを水道水にて100倍に希釈した洗浄液（Ａ）とした。比較ブランクとして、上記のキレート剤を含まない濃縮洗浄液を作製し、これを同様に水道水にて100倍に希釈し洗浄液（Ｂ）、さらに水道水のみを（Ｃ）とした。
【００１７】
各洗浄液のｐH、電気導電率の比較
【００１８】
【表１】
2007091979.tif 000003
【００１９】
（Ａ）、（Ｂ）、（Ｃ）各々の洗浄液10ｍｌに対して、リン酸カルシウム（第３リン酸カルシウム）10ｍｇを添加し、10分間しんとう器によりしんとうし、上澄み液を0.2μｍのメンブランフィルター（ミリポワ製）にて、濾過した濾液に含まれるカルシウムイオンとリン酸イオンをイオンクロマトグラフィーにより定量した。
【００２０】
【表２】
2007091979.tif 000004
【００２１】
[実施例２]タンク洗浄剤としての実施例
湿し水タンクおよび配管、水舟に蓄積しているカルシウム化合物を除去する目的で、実際に使用している印刷機の湿し水タンクに対して、本洗浄液を用いて洗浄をおこなった。始めに水で1時間洗浄した後、その後洗浄液濃縮液を33倍に希釈して、1時間洗浄したものとを比較した。洗浄前後のタンク水のカルシウムイオン、リン酸イオンをそれぞれ、イオンクロマトグラフィーにて定量した（−は検出レベル  0.02ppm以下）。
【００２２】
【表３】
2007091979.tif 000005
【００２３】
水道水で洗浄したときよりも、洗浄液希釈液で洗浄した場合、カルシウムイオンが多く検出され、更に、1時間経過後のものはリン酸イオンも検出されるようになった。このことから、本洗浄液を用いることにより、湿し水タンクや配管内に沈殿していると考えられるカルシウム化合物（リン酸カルシウムなど）を可溶化させることに効果があることが分かる。
【００２４】
[実施例３]湿し水の補助剤としての検証
弊社湿し水原液「アクワマジックＦＰ」２．０％水と、「アクワマジックＦＰ」２．０％水に、[実施例１]で用いた洗浄剤濃縮液０.８％を添加したもの各々５０ｍｌに対して、０.０１Ｎ−ＫＯＨを２０ｍｌ滴定し、滴定開始時と滴定終了時のｐＨの変化を調査。
【００２５】
【表４】
2007091979.tif 000006